(57)【要約】【課題】地震発生時や停電時などの災害時などにおいて、建物や駅などに対する電源の供給が停止した場合においても、避難経路及び電車の運行情報などの災害対応情報の表示を所定の時間行なうことができ、周囲にいる人間に対して通知することが可能な画像表示システムを提供する。【解決手段】本発明の画像表示システムは、記憶型液晶を備えた液晶パネルと、液晶パネルの予備バックライトとして用いる蓄光体と、液晶パネルを駆動して表示画像を表示させる表示制御部と、外部からの電力が停止した際、表示制御部に供給する所定の電力を蓄積するコンデンサとを備える。【選択図】図１
2020085962.tif 000002
【特許請求の範囲】
【請求項１】
記憶型液晶を備えた液晶パネルと、
前記液晶パネルの予備バックライトとして用いる蓄光体と、
前記液晶パネルを駆動して表示画像を表示させる表示制御部と、
外部からの電力が停止した際、当該表示制御部に供給する所定の電力を蓄積するコンデンサと
を備える画像表示システム。
【請求項２】
外部からの電源の供給が停止したことに応じて、
前記表示制御部が、前記コンデンサの充電電力を用いて、前記記憶型液晶に所定の情報通知表示画像を書き込んで表示させる
ことを特徴とする請求項１に記載の画像表示システム。
【請求項３】
バックライトをさらに備え、
前記蓄光体が前記バックライトと前記液晶パネルとの間に配置されており、外部から電源が供給されている間、前記バックライトからの光を蓄えている
ことを特徴とする請求項１または請求項２に記載の画像表示システム。
【請求項４】
外部からの電源の供給が停止したか否かの判定を行ない、当該電源の供給が停止したと判定したことに応じて、前記表示制御部に対して停止通知を出力する電源電圧検出部をさらに備える
ことを特徴とする請求項１から請求項３のいずれか一項に記載の画像表示システム。
【請求項５】
前記表示制御部が、
前記停止通知が供給された場合、前記記憶型液晶に対して、通常の表示画像に換えて前記情報通知表示画像を表示させる
ことを特徴とする請求項４に記載の画像表示システム。
【請求項６】
バックライトの放射光により、予備バックライトとして用いる蓄光体に光を蓄える過程と、
外部からの電源供給が停止したか否かの検出を行なう過程と、
前記電源供給が停止した場合、液晶パネルが備える記憶型液晶に、コンデンサに蓄えられた電力を用いて所定の情報通知表示画像を書き込む過程と、
前記蓄光体からの放射光により、前記液晶パネルに前記情報通知表示画像を表示させる過程と
を含むことを特徴とする画像表示方法。
【発明の詳細な説明】
【技術分野】
【０００１】
本発明は、画像表示システム及び画像表示方法に関する。
【背景技術】
【０００２】
液晶表示装置の普及が進み、多くの場所に配置されて、商品の宣伝や建物内の案内などの情報を多くの人間に対して、通知する通知手段として用いられている。
例えば、レストラン、ファミリーレストラン、居酒屋、ファストフード店、その他各種飲食店、さらには、カラオケルーム、理髪店や美容室などにおいて、客が店を訪問したときから帰るまでのあらゆるサービス内容などの情報を通知する表示を行なう。
【０００３】
また、地震や電車事故などの災害が発生した際に、表示を異常事態時に対応する画面に切り替え、建物における避難経路の情報や、電車の運行情報（正常／不通の情報に加えて目的地までの経路変更情報）などの異常状態に対処するための災害対応情報を、周囲にいる人間に対して通知する手段としても用いられている。
一方、上述した地震などの災害時に停電が発生した際、液晶表示装置は電源が供給されず、災害対応情報の通知を行なう画像表示を行なわせることができなくなる。
【０００４】
このため、液晶表示装置に対して、非常用のバッテリや無停電電源装置を備えておき、災害時の情報を通知する場合に表示動作を可能とする構成が考えられる。
また、光源が無くとも蓄光材料を用いて、情報を表示する構成もある（例えば、特許文献１、特許文献２及び特許文献３を参照）
【先行技術文献】
【特許文献】
【０００５】
【特許文献１】特開２００８−１７５８４４号公報
【特許文献２】特開平０８−０３０２１５号公報
【特許文献３】特開平０５−２７３５４８号公報
【発明の概要】
【発明が解決しようとする課題】
【０００６】
しかしながら、バッテリを設ける場合、液晶表示装置の重量が増加し、外形が大型化することになり、配置する場所を確保したり、設置強度を上げるために配置のための費用が高くなる。
また、無停電電源装置を備えた場合、液晶表示装置と別の外部設備として設けることが必要となり、バッテリを備える以上に設備に費用がかかってしまう。
【０００７】
また、蓄光材料を利用した光源をバックライトとして用い、液晶表示装置を構成することは可能であるが、画像データを表示するために、液晶パネルを駆動させるための電源が必要となる。
すなわち、災害時や停電時などの電源の供給が停止した場合、光源を駆動する電源が必要なくなる一方、液晶パネルを駆動させるためのバッテリを備える必要がある。
【０００８】
本発明は、このような事情に鑑みてなされたもので、地震発生時や停電時などの災害時などにおいて、建物や駅などに対する電源の供給が停止した場合においても、避難経路及び電車の運行情報などの災害対応情報の表示を所定の時間行なうことができ、周囲にいる人間に対して通知することが可能な画像表示システム及び画像表示方法を提供する。
【課題を解決するための手段】
【０００９】
上述した課題を解決するために、本発明の画像表示システムは、記憶型液晶を備えた液晶パネルと、前記液晶パネルの予備バックライトとして用いる蓄光体と、前記液晶パネルを駆動して表示画像を表示させる表示制御部と、外部からの電力が停止した際、当該表示制御部に供給する所定の電力を蓄積するコンデンサとを備えることを特徴とする。
【００１０】
本発明の画像表示方法は、バックライトの放射光により、予備バックライトとして用いる蓄光体に光を蓄える過程と、外部からの電源供給が停止したか否かの検出を行なう過程と、前記電源供給が停止した場合、液晶パネルが備える記憶型液晶に、コンデンサに蓄えられた電力を用いて所定の情報通知表示画像を書き込む過程と、前記蓄光体からの放射光により、前記液晶パネルに前記情報通知表示画像を表示させる過程とを含むことを特徴とする。
【発明の効果】
【００１１】
以上説明したように、本発明によれば、地震発生時や停電時などの災害時などにおいて、建物や駅などに対する電源の供給が停止した場合においても、避難経路及び電車の運行情報などの災害対応情報の表示を所定の時間行なうことができ、周囲にいる人間に対して通知することが可能な画像表示システム及び画像表示方法を提供することが可能となる。
【図面の簡単な説明】
【００１２】
【図１】本発明の一実施形態による画像表示システムの構成例を示すブロック図である。
【図２】本実施形態における電源電圧検出部１０１の構成例を示す図である。
【図３】本実施形態におけるコンデンサ部１０２及びＤＣ／ＤＣコンバータ１０３の構成例を示す図である。
【図４】バックライト１０５における主バックライト１０５１及び予備バックライト１０５２の配置例を説明する概念図である。
【図５】内部記憶部１０９に予め書き込まれて記憶されている災害対応情報の画像データの一例を示す図である。
【図６】本発明の一実施形態による画像表示システムの設置例を示す図である。
【図７】本発明の一実施形態による画像表示システムの画像データの表示処理における動作例を示すフローチャートである。
【図８】本発明の実施形態の概念を説明する図である。
【発明を実施するための形態】
【００１３】
以下、本発明の一実施形態について、図面を参照して説明する。
図１は、本発明の一実施形態による画像表示システムの構成例を示すブロック図である。図１において、本実施形態においては、画像表示システム１００が、例えば、電源電圧検出部１０１、コンデンサ部１０２、ＤＣ／ＤＣコンバータ１０３、電源制御部１０４、バックライト１０５、表示パネル１０６、表示制御部１０７、入力切替部１０８及び内部記憶部１０９の各々を備えている。
【００１４】
電源電圧検出部１０１は、装置外部から供給されている電源（本実施形態においては、商用電源などの交流電源）が停電や事故などで切断された場合において、入力される電圧が所定の電圧未満となったことを検出する。そして、電源電圧検出部１０１は、入力される電圧が所定の電圧未満となったことを検出した際、電源制御部１０４及び表示制御部１０７の各々に対して検出信号を出力する。
【００１５】
図２は、本実施形態における電源電圧検出部１０１の構成例を示す図である。
電源電圧検出部１０１は、電圧変換部１０１１、整流用ダイオード１０１２、平滑化回路１０１３、検出回路１０１４の各々を備えている。
【００１６】
電圧変換部１０１１は、外部から供給される交流電圧の電圧レベルの所定の比率により低下させ、検出交流電圧として整流用ダイオード１０１２のアノードに対して出力する。検出交流電圧は、グラフ１０１１Ｓの波形である。ここで、グラフ１０１１Ｓは、縦軸が電圧を示し、横軸が時間を示している。
【００１７】
整流用ダイオード１０１２は、検出交流電圧の交流電流を半波整流し、カソードから平滑化回路１０１３に対して出力する。半波整流された電圧は、グラフ１０１２Ｓの波形である。ここで、グラフ１０１２Ｓは、縦軸が電圧を示し、横軸が時間を示している。
【００１８】
平滑化回路１０１３は、整流用ダイオード１０１２のカソードから供給される半波整流の電圧を平滑化して、平滑化された直流電圧を検出電圧として検出回路１０１４に対して出力する。平滑化された検出電圧は、グラフ１０１３Ｓの波形である。ここで、グラフ１０１２Ｓは、縦軸が電圧を示し、横軸が時間を示している。
検出回路１０１４は、検出電圧が閾値を下回ると、「Ｈ」レベルから「Ｌ」レベルに遷移する検出信号を、電源制御部１０４及び表示制御部１０７の各々に対して出力する。
【００１９】
図１に戻り、コンデンサ部１０２は、装置外部から供給されている交流電源の交流電流を整流し、コンデンサを含む平滑化回路で平滑化した所定の電圧の直流電圧を、ＤＣ／ＤＣコンバータ１０３に対して出力する。
【００２０】
ＤＣ／ＤＣコンバータ１０３は、例えば、絶縁型ＤＣ／ＤＣコンバータであり、上記コンデンサ部１０２から供給される上記直流電圧を、内部で使用する表示制御用電源及びバックライト用電源などの電圧に変換し、それぞれ対応する回路に供給する。
【００２１】
図３は、本実施形態におけるコンデンサ部１０２及びＤＣ／ＤＣコンバータ１０３の構成例を示す図である。コンデンサ部１０２は、図示しない全波整流器と、コイル１０２１と、コンデンサ１０２２とを備えている。コイル１０２１及びコンデンサ１０２２の各々により、平滑化回路を構成している。外部から供給される交流電圧を、上記全波整流器により整流し、上記平滑化回路により平滑化した所定の電圧として、ＤＣ／ＤＣコンバータ１０３に対して供給する。
ここで、上記コンデンサ１０２２は、整流器からの脈流を平滑化するための平滑用コンデンサであり、大容量のコンデンサが用いられ、電力が蓄積されている。このため、外部からの電源が停電や事故などで切断された場合において、所定の期間、画像表示システム１００内の各回路に対して電力を、ＤＣ／ＤＣコンバータ１０３を介して供給することができる。
【００２２】
図１に戻り、電源制御部１０４は、ＤＣ／ＤＣコンバータ１０３が供給する表示制御用電源を表示制御部１０７に供給し、バックライト用電源をバックライト１０５に供給する。また、電源制御部１０４は、電源電圧検出部１０１から検出信号が供給された場合、表示制御部１０７に対して表示制御用電源を供給する処理を継続し、バックライト用電源をバックライト１０５に供給する処理を停止する。すなわち、電源制御部１０４は、外部からの電源が停電や事故などで切断された場合、バックライト１０５に対するバックライト用電源の供給（電力の供給）を停止し、上記コンデンサ１０２２に蓄積された電力を、有効に利用するため、表示制御部１０７に対して供給する。
【００２３】
バックライト１０５は、主バックライト１０５１及び予備バックライト１０５２の各々が備えられている。
主バックライト１０５１は、例えば、冷陰極管や色成分ＲＧＢの各々のＬＥＤ（light emitting diode）、あるいは白色のＬＥＤであり、バックライト用電源により駆動されて、光を放射する。
予備バックライト１０５２は、蓄光材料（例えば、アルミン酸ストロンチウム蛍光体）で作成され、蓄光された光を所定の期間において放射する光源である。ここで、予備バックライト１０５２は、バックライト１０５にバックライト用電源が供給されている場合（異常時でない通常時の場合）、主バックライト１０５１が上記バックライト用電源により放射する光を蓄光している。
【００２４】
図４は、バックライト１０５における主バックライト１０５１及び予備バックライト１０５２の配置例を説明する概念図である。
バックライト１０５の基板１０５Ｓの平面上に、主バックライト１０５１のＬＥＤ列が配列され、このＬＥＤ列の間に予備バックライト１０５２の蓄光材料を配列させて形成されている。
【００２５】
これにより、主バックライト１０５１の放射する光が、それぞれ隣接する予備バックライト１０５２の蓄光材料に蓄光される。
そして、電源が停電や事故などで切断された場合において、主バックライト１０５１が光を放射できないため、予備バックライト１０５２が表示パネル１０６に対して、蓄光した光をバックライトとして放射する。
【００２６】
図１に戻り、表示パネル１０６は、例えばＣ−Ｎ相転移記憶型液晶行列パネルなどの記憶型の液晶パネルであり、電源が切断されても、表示された画像が消えることはない。
このため、外部からの電源が停電や事故などで切断された場合においても表示された画像が消えず、予備バックライト１０５２から放射される光により、画像を利用者に視認できるように表示させることができる。
【００２７】
表示制御部１０７は、検出信号が供給されていない場合、入力切替部１０８を制御し、外部装置から供給される映像データ（テレビ映像、コマーシャル映像など）を表示パネル１０６に対して表示する。一方、表示制御部１０７は、検出信号が供給されている場合、入力切替部１０８を制御し、内部記憶部１０９に予め書き込まれている避難経路などの災害対応情報の画像データを読み出し、読み出した画像データを表示パネル１０６に対して表示する。
【００２８】
入力切替部１０８は、表示制御部１０７による制御により、外部装置からの映像データと、あるいは内部記憶部１０９に記憶されている画像データと、のいずれかを表示制御部１０７に対して出力する切替処理を行なう。
【００２９】
内部記憶部１０９には、上述したように、避難経路などの災害対応情報の画像データが予め書き込まれて記憶されている。
図５は、内部記憶部１０９に予め書き込まれて記憶されている災害対応情報の画像データの一例を示す図である。図３の画像データは、火災や地震の発生時における建物内の避難経路を示している。この災害対応情報の画像データが、表示制御部１０７により表示パネルに書き込まれ、バックライト１０５における予備バックライト１０５２の放射する光により、利用者に対して表示して通知される。
【００３０】
図６は、本発明の一実施形態による画像表示システムの設置例を示す図である。図６において、画像表示システム１００は、建物内の利用者７００が多く集まるホールなどに設置されている。通常時においては、一般テレビ局が放映している映像データや、建物の紹介あるいは販売している商品の広告などが、表示パネル１０６の表示画面に表示されている。
【００３１】
しかし、火災や地震の発生時などの異常時においては、すでに説明したように、表示制御部１０７により、建物内の避難経路などの災害対応情報の画像データが表示パネル１０６の表示画面に表示され、災害対応情報が利用者７００の各々に通知される。この異常時において、表示パネル１０６のバックライト１０５の放射する光の光源は、電源の供給が停止されるため、主バックライト１０５１でなく、予備バックライト１０５２の蓄光材料である。
【００３２】
図７は、本発明の一実施形態による画像表示システムの画像データの表示処理における動作例を示すフローチャートである。
ステップＳ１０１：電源電圧検出部１０１は、外部から供給される電源の電圧を検出電圧として検出する。
【００３３】
ステップＳ１０２：そして、電源電圧検出部１０１は、検出電圧が閾値未満か否かの判定を行なう。このとき、電源電圧検出部１０１は、検出電圧が閾値未満で無い場合、処理をステップＳ１０３へ出力する。
一方、電源電圧検出部１０１は、検出電圧が閾値未満である場合、電源制御部１０４及び表示制御部１０７の各々に対して検出信号を出力して、処理をステップＳ１０５へ出力する。
【００３４】
ステップＳ１０３：電源制御部１０４は、ＤＣ／ＤＣコンバータ１０３が生成する表示制御用電源を表示制御部１０７へ出力する。
そして、電源制御部１０４は、バックライト用電源をバックライト１０５に対して出力する。
【００３５】
ステップＳ１０４：表示制御部１０７は、入力切替部１０８が映像データを自身に供給するように制御し、供給される映像データを表示パネルに対して書き込んで表示させる。
このとき、主バックライト１０５１が放射している光により、表示パネル１０６に表示された画像が視認できる。
ここで、電源電圧検出部１０１は、処理をステップＳ１０１へ戻す。
【００３６】
ステップＳ１０５：電源制御部１０４は、ＤＣ／ＤＣコンバータ１０３が生成する表示制御用電源を表示制御部１０７へ出力する。
そして、電源制御部１０４は、バックライト１０５に対するバックライト用電源の供給を停止する。
このとき、ＤＣ／ＤＣコンバータ１０３は、外部からの電源供給が停止されているため、コンデンサ部１０２におけるコンデンサ１０２２に充電された電力により、表示制御用電源を表示制御部１０７へ出力する。
【００３７】
ステップＳ１０６：表示制御部１０７は、入力切替部１０８が内部記憶部１０９に記憶されている災害対応情報の画像データを読み出し、読み出した画像データを自身に供給するように制御する。
そして、表示制御部１０７は、コンデンサ１０２２に充電された電力により駆動され、入力切替部１０８から供給される画像データを表示パネルに対して書き込んで表示させる。
このとき、予備バックライト１０５２の蓄光材料が蓄光した光を放射すること（蓄光材料の放射を光源とすること）により、表示パネル１０６に表示された災害対応情報を示す画像が視認できる。予備バックライト１０５２の蓄光材料が蓄積した光を放射し、この放射が維持される間、利用者は表示パネル１０６に表示された災害対応情報の画像を観察することができる。
【００３８】
上述した構成により、本実施形態によれば、地震発生時や停電時などの災害時などにおいて、建物や駅などに対する電源の供給が停止した場合に、主バックライト１０５１が光を放射することが不可能であっても、避難経路及び電車の運行情報などの災害対応情報の表示を、予備バックライト１０５２に蓄光された光が放射される時間（所定の時間）、表示パネル１０６にバックライトの光として提供することができ、画像表示システム１００の表示画面を観察する利用者７００に対して、避難経路などの情報を通知することができる。
【００３９】
また、本実施形態によれば、表示制御部１０７が、電源電圧検出部１０１から供給される外部からの電源が停止したことを示す検出信号を入力した場合、コンデンサ１０２２に充電されている電力により、入力切替部１０８を駆動し、内部記憶部１０９に予め記憶されている災害対応情報を表示パネル１０６に書き込むため、外部からの電源が停止されても、災害対応情報を表示パネル１０６に表示し、予備バックライト１０５２の放射する光で、利用者７００に情報を通知することができる。
【００４０】
また、本実施形態によれば、電源制御部１０４が、電源電圧検出部１０１から供給される外部からの電源が停止したことを示す検出信号を入力した場合、ＤＣ／ＤＣコンバータ１０３からバックライト１０５に対するバックライト用電源の供給を停止するため、コンデンサ１０２２に充電された電力を、表示制御部１０７に対してのみ供給でき、表示制御部１０７が内部記憶部１０９に予め記憶されている災害対応情報を表示パネル１０６に書き込むために有効に利用することが可能となる。
【００４１】
図８は、本発明の実施形態の概念を説明する図である。図８おいて、本発明の実施形態における画像表示システム１０は、表示制御部１１、コンデンサ１２、表示パネル１３及びバックライト１４を備えている。バックライト１４は、冷陰極管などの主バックライト（不図示）の他に蓄光材料で形成された予備バックライト１４１が設けられている。予備バックライト１４１は、主バックライトの放射光を蓄光している。
【００４２】
表示制御部１１は、災害により外部からの電源供給が停止された場合、コンデンサ１２に充電された電力により、表示パネル１３に災害対応情報を書き込んで表示させる。
予備バックライト１４１は、電源供給が停止されて光の放射ができない主バックライトに変わり、表示パネル１３に対して、蓄光されている光を放射し、災害対応情報の観察を可能とし、利用者に対してこの災害対応情報を通知する。
【００４３】
なお、本発明における図１の画像表示システム１００の機能を実現するためのプログラムをコンピュータ読み取り可能な記録媒体に記録して、この記録媒体に記録されたプログラムをコンピュータシステムに読み込ませ、実行することにより、災害により外部から電源が供給されない場合においても利用者に対して災害対応情報を通知する処理の制御を行ってもよい。なお、ここでいう「コンピュータシステム」とは、ＯＳや周辺機器等のハードウェアを含むものとする。
【００４４】
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４６】
１０，１００…画像表示システム
１１，１０７…表示制御部
１２，１０２２…コンデンサ
１３，１０６…表示パネル
１４，１０５…バックライト
１０１…電源電圧検出部
１０２…コンデンサ部
１０３…ＤＣ／ＤＣコンバータ
１０４…電源制御部
１０８…入力切替部
１０９…内部記憶部
１４１，１０５２…予備バックライト
１０１１…電圧変換部
１０１１Ｓ，１０１２Ｓ，１０１３Ｓ…グラフ
１０１２…整流用ダイオード
１０１３…平滑化回路
１０１４…検出回路
１０２１…コイル
１０５１…主バックライト
【図１】
2020085962.tif 000003
【図２】
2020085962.tif 000004
【図３】
2020085962.tif 000005
【図４】
2020085962.tif 000006
【図５】
2020085962.tif 000007
【図６】
2020085962.tif 000008
【図７】
2020085962.tif 000009
【図８】
2020085962.tif 000010